(57)【要約】【課題】手動での操作を要せず消費電力を低減できる電子機器システムを提供する。【解決手段】  電子機器システムが，二次電池の残量を検出する残量検出部と，前記残量検出部の検出結果に対応する信号を送信する送信部と，ＡＣ電圧をＤＣ電圧に変換して，前記二次電池に供給するＡＣ−ＤＣ変換部と，前記送信部が送信する信号を受信する受信部と，前記受信部が前記信号を受信した場合に，前記ＡＣ−ＤＣ変換部によるＡＣ−ＤＣ変換を制御する制御部と，を具備する。【選択図】図１
2010220347.tif 000002
【特許請求の範囲】
【請求項１】
二次電池の残量を検出する残量検出部と，
前記残量検出部の検出結果に対応する信号を送信する送信部と，
ＡＣ電圧をＤＣ電圧に変換して，前記二次電池に供給するＡＣ−ＤＣ変換部と，
前記送信部が送信する信号を受信する受信部と，
前記受信部が前記信号を受信した場合に，前記ＡＣ−ＤＣ変換部によるＡＣ−ＤＣ変換を制御する制御部と，
を具備する電子機器システム。
【請求項２】
前記送信部は，前記残量が第１の所定量より大きい場合に，第１の信号を送信し，
前記制御部は，前記受信部が前記第１の信号を受信した場合に，前記ＡＣ−ＤＣ変換部によるＡＣ−ＤＣ変換を停止させる
ことを特徴とする請求項１記載の電子機器システム。
【請求項３】
前記二次電池への前記ＤＣ電圧の供給の有無を検出する供給検出部をさらに具備し，
前記残量が前記第１の所定量より大きい場合，前記送信部が前記第１の信号を連続して送信し，
前記供給検出部が前記ＤＣ電圧の供給が無いことを検出すると，前記送信部が前記第１の信号の送信を停止する
請求項２記載の電子機器システム。
【請求項４】
前記第１の所定量より小さい第２の所定量より，前記残量が小さい場合，前記送信部が前記第１の信号と異なる第２の信号を送信し，
前記制御部は，前記受信部が前記第２の信号を受信した場合に，前記ＡＣ−ＤＣ変換部によるＡＣ−ＤＣ変換を開始させる
請求項２に記載の電子機器システム。
【請求項５】
前記二次電池への前記ＤＣ電圧の供給の有無を検出する供給検出部をさらに具備し，
前記残量が前記第２の所定量より小さい場合，前記送信部が前記第２の信号を連続して送信し，
前記供給検出部が前記ＤＣ電圧の供給が有ることを検出すると，前記送信部が前記第２の信号の送信を停止する
請求項４記載の電子機器システム。
【請求項６】
前記残量が所定量より大きいか否かに応じて，前記送信部からの所定の信号の送信が継続または停止され，
前記送信部からの前記所定信号の送信が継続するか否かに応じて，前記ＡＣ−ＤＣ変換部によるＡＣ−ＤＣ変換が停止または継続される，
請求項１記載の電子機器システム。
【請求項７】
前記残量が所定量より大きい場合に，前記送信部からの所定の信号の送信が継続され，
前記送信部からの前記所定信号の送信が継続する場合に，前記ＡＣ−ＤＣ変換部によるＡＣ−ＤＣ変換が停止される，
請求項６記載の電子機器システム。
【請求項８】
前記残量が所定量より小さい場合に，前記送信部からの所定の信号の送信が継続され，
前記送信部からの前記所定信号の送信が継続する場合に，前記ＡＣ−ＤＣ変換部によるＡＣ−ＤＣ変換が継続される，
請求項６記載の電子機器システム。
【請求項９】
前記送信部からの前記所定の信号の送信が継続される場合，前記送信部がこの所定の信号を第１の間隔で送信し，
前記所定の信号が，前記第１の間隔より長い第２の間隔で，受信される否かに応じて，前記ＡＣ−ＤＣ変換部によるＡＣ−ＤＣ変換が停止または継続される，
請求項６に記載の電子機器システム。
【請求項１０】
前記送信部によって送信される前記信号を受信する受信部と，
前記受信部が受信した信号を整流する整流部と，
前記整流された信号を識別する識別部と，をさらに具備し，
前記制御部が，前記識別部での識別結果に基づいて，前記ＡＣ−ＤＣ変換部によるＡＣ−ＤＣ変換を制御する，
請求項１に記載の電子機器システム。
【発明の詳細な説明】
【技術分野】
【０００１】
本発明は，電子機器システムに関する。
【背景技術】
【０００２】
電子機器の消費電力の低減化が進められている。例えば，ＡＣ−ＤＣ変換部の交流電源側に電源スイッチを設けて，ＡＣ−ＤＣ変換部を交流電源から遮断して待機時の消費電力を削減する技術が開示されている（特許文献１参照）。ユーザが電子機器を使用しない場合に，この電源スイッチを手動でＯＦＦし，電子機器を使用する場合に，電源スイッチを手動でＯＮする。この結果，待機時の消費電力の低減が可能となる。
【先行技術文献】
【特許文献】
【０００３】
【特許文献１】特開２００４−２６６９３１号公報
【発明の概要】
【発明が解決しようとする課題】
【０００４】
しかしながら，上述の技術では，電源スイッチを手動でＯＮ/ＯＦＦする必要がある。このため，ＡＣ−ＤＣ変換部が，ユーザが使用する電子機器から離れた場所にある場合には，ユーザが電子機器を使用開始時と使用終了時にＡＣ−ＤＣ変換部のところまで行き，電源スイッチをＯＮ/ＯＦＦしなければならない。
上記に鑑み，本発明は手動での操作を要せず消費電力を低減できる電子機器システムを提供することを目的とする。
【課題を解決するための手段】
【０００５】
本発明の一態様に係る電子機器システムは，二次電池の残量を検出する残量検出部と，前記残量検出部の検出結果に対応する信号を送信する送信部と，ＡＣ電圧をＤＣ電圧に変換して，前記二次電池に供給するＡＣ−ＤＣ変換部と，前記送信部が送信する信号を受信する受信部と，前記受信部が前記信号を受信した場合に，前記ＡＣ−ＤＣ変換部によるＡＣ−ＤＣ変換を制御する制御部と，前記ＡＣ−ＤＣ変換部によるＡＣ−ＤＣ変換を制御する制御部と，を具備する。
【０００６】
本発明の一態様に係る電源制御方法は，残量検出部が二次電池の残量を検出するステップと，前記残量検出部の検出結果に対応する信号を送信するステップと，前記送信される信号を受信するステップと，ＡＣ電圧をＤＣ電圧に変換して，前記二次電池に供給するＡＣ−ＤＣ変換部によるＡＣ−ＤＣ変換を，前記受信される信号によって，制御するステップと，を具備する。
【発明の効果】
【０００７】
本発明によれば，手動での操作を要せず消費電力を低減できる電子機器システムを提供できる。
【図面の簡単な説明】
【０００８】
【図１】本発明の一実施形態に係る電子機器システム１０を表すブロック図である。
【図２】整流器１３２の構成例を表す回路図である。
【図３】本発明の変形例１に係る電子機器システム１０ａを表すブロック図である。
【図４】本発明の変形例２に係る電子機器システム１０ｂを表すブロック図である。
【図５】電子機器システムの動作手順の一例を表すフロー図である。
【図６】電子機器システムの動作手順の変形例を表すフロー図である。
【図７】電子機器システムの動作手順の変形例を表すフロー図である。
【図８】本発明の実施例に係る電子機器を表すブロック図である。
【発明を実施するための形態】
【０００９】
以下，図面を参照して，本発明の実施の形態を詳細に説明する。図１は本発明の一実施形態に係る電子機器システム１０を表すブロック図である。
電子機器システム１０は，電子機器１１０と，ＡＣアダプタ１３０とを有する。電子機器１１０からＡＣアダプタ１３０に対しては，無線による制御が可能であり，ＡＣアダプタ１３０のＡＣ−ＤＣ変換前段でのオン，オフを制御できる。
【００１０】
電子機器１１０は，例えば，携帯端末（携帯型のパーソナルコンピュータ（ノートパソコン等），携帯電話）である。電子機器１１０は，機器本体１１１，制御部１１２，送信部１１３，アンテナ１１４，電池１１５，残量検出部１１６，ＤＣジャック１１７，供給検出部１１８を有する。
【００１１】
機器本体１１１は，ユーザに電子機器１１０の主要機能（例えば，コンピュータとしての機能）を提供する。
制御部１１２は，ＡＣアダプタ１３０に対して送信する制御パケット（ＯＮ信号，ＯＦＦ信号）を生成する。ＯＮ信号は，ＡＣアダプタ１３０でのＡＣ−ＤＣ変換の開始を指示する信号である。ＯＦＦ信号は，ＡＣアダプタ１３０でのＡＣ−ＤＣ変換の停止を指示する信号である。
【００１２】
送信部１１３は，制御部１１２が生成した制御パケットをＡＣアダプタ１３０に送信する。送信部１１３は，制御部１１２で生成されたＯＮ信号，ＯＦＦ信号を送信する。送信部１１３は，例えば，無線ＬＡＮ用ＬＳＩを使用することが考えられる。電子機器１１０の一例としてノートパソコンを考えた場合，無線ＬＡＮ用ＬＳＩが内蔵されている割合が高い。この場合，通常はこのＬＳＩを無線ＬＡＮ用として動作させ，制御部１１２から指示があった場合にのみ，無線ＬＡＮの規格に対応した電波を用いて，制御パケットを送信させる。
【００１３】
アンテナ１１４は，制御パケットを電波として放射する。
電池１１５は，機器本体１１１，制御部１１２，送信部１１３，残量検出部１１６，供給検出部１１８に電力を供給する。電池１１５は，ＡＣアダプタ１３０から供給されるＤＣ電圧によって充電される二次電池（充電電池（バッテリー））である。
【００１４】
残量検出部１１６は，電池１１５の残量を検出する。残量検出部１１６は，例えば，電池１１５の電圧に基づき，その残量を検出する。この残量は，例えば，０〜１００％で表すことができる。０％，１００％はそれぞれ，電池１１５の残量のゼロ（ｎｏｎｅ）およびフル（ｆｕｌｌ）に対応する。
【００１５】
ＤＣジャック１１７は，ＡＣアダプタ１３０のＤＣプラグ１４４が脱着可能に接続される。ＤＣジャック１１７にＡＣアダプタ１３０のＤＣプラグ１４４が接続されることで，電子機器１１０にＡＣアダプタ１３０からのＤＣ電圧が供給される。
【００１６】
供給検出部１１８は，ＤＣジャック１１７にＡＣアダプタ１３０のＤＣプラグ１４４が接続され，ＤＣ電圧が供給されているか否かを検出する。この検出は，機械的，電気的手法により実行できる。
【００１７】
ＡＣアダプタ１３０は，アンテナ１３１，整流器１３２，信号判別部１３３，制御部１３４，電池１３５，ＡＣプラグ１４１，スイッチ１４２，ＡＣ−ＤＣ変換部１４３，ＤＣプラグ１４４を有する。
【００１８】
アンテナ１３１は，電子機器１１０からの制御パケットを受信する。
整流器１３２は，アンテナ１３１で受信された制御パケットを整流する。アンテナ１３１と整流器１３２の組み合わせ（あるいはアンテナ１３１単独）は，送信部が送信する信号を受信する受信部として機能する。なお，整流器１３２の詳細は後述する。
【００１９】
信号判別部１３３は，整流器１３２の出力に基づいて受信した制御パケットが所定の制御パケット（ＯＮ信号，ＯＦＦ信号）と一致するか否かを判別する。
【００２０】
制御部１３４は，信号判別部１３３の判別結果に基づき，スイッチ１４２を制御する。即ち，制御部１３４は，送信部１１３によって送信される信号に対応して，ＡＣ−ＤＣ変換部１４３によるＡＣ−ＤＣ変換を制御する。
【００２１】
電池１３５は，整流器１３２，信号判別部１３３，制御部１３４へ電力を供給する。なお，電池１３５は一次電池（乾電池，リチウム電池等），二次電池（充電池（バッテリ），スーパキャパシタ等），太陽電池の何れでも差し支えない。電池１３５に二次電池を用いる場合，例えばスイッチ１４２がＯＮ状態の時に，ＡＣ−ＤＣ変換部１４３から電池１３５にＤＣ電圧を供給，充電することができる。
【００２２】
ＡＣプラグ１４１は，電源コンセント等の外部電源に接続されて，ＡＣ−ＤＣ変換部１４３にＡＣ電圧（電力）を供給する。
スイッチ１４２は，ＡＣプラグ１４１から供給される電力をＡＣ−ＤＣ変換部１４３に伝えるか否かを切り替える。後述のように，電子機器１１０内の機器本体１１１がＯＦＦ状態にあるときでも，ＡＣ−ＤＣ変換部１４３は電力を消費する。このため，電子機器１１０への電力の供給の要否に応じて，スイッチ１４２をＯＮ／ＯＦＦすることで，ＡＣアダプタ１３０の省電力化を図ることができる。
【００２３】
ＡＣ−ＤＣ変換部１４３は，ＡＣプラグ１４１から供給されるＡＣ電圧をＤＣ電圧に変換する。ＡＣ−ＤＣ変換部１４３は，トランス，整流器より構成できる。トランスによりＡＣ電圧を変更し，整流器で整流することで，ＤＣ電圧が生成される。ＡＣ−ＤＣ変換部１４３，特にトランスは，電子機器１１０に電力を供給していないときでも（例えば，電子機器１１０の待機時），電力を消費する。このため，スイッチ１４２によって，ＡＣ−ＤＣ変換部１４３でのＡＣ−ＤＣ変換の有無が切り換えられ，ＡＣ−ＤＣ変換部１４３（ＡＣアダプタ１３０）の省電力化が図られる。
ＤＣプラグ１４４は，電子機器１１０のＤＣジャック１１７に接続され，電子機器１１０にＤＣ電圧（電力）を供給する。
【００２４】
（整流器１３２の詳細）
整流器１３２は，アンテナ１３１が受信した信号を効率的に整流（検波）し，低消費電力での動作が可能である。
【００２５】
図２に，図１中に示した整流器１３２の一構成例を示す。この整流器１３２は，直列接続されたｎＭＯＳ型のトランジスタＭＲ１，ＭＲ２を有する。トランジスタＭＲ１，ＭＲ２それぞれのゲートソース間が短絡接続されている（すなわちトランジスタＭＲ１，ＭＲ２は一種のダイオード接続）。トランジスタＭＲ１，ＭＲ２を接続する配線にコンデンサＣ１が接続され，アンテナ１３１からＲＦ信号が入力される。また，トランジスタＭＲ１のドレインとトランジスタＭＲ２のソースの間に，平滑コンデンサＣ２が接続され，出力電圧（整流電圧）を発生させる。
【００２６】
ＲＦ信号が入力されることで，トランジスタＭＲ１，コンデンサＣ２，トランジスタＭＲ２の経路に，半波の電流が流れる。この結果，コンデンサＣ２の両端に直流の出力電圧（整流電圧）が発生する。図２に示す整流器１３２の下側端子ＤＣ−はグランドに接続される。図２に示す整流器１３２の上側端子ＤＣ＋は整流器１３２の出力端子として，信号判別部１３３に接続される。
このように構成された整流器１３２を用いることで，低電力の無線信号を効率的に整流することができる。整流器１３２は，電池１３５からの電力により，好感度で信号を検波する。
【００２７】
（変形例）
本発明の変形例を説明する。
図３は，本発明の変形例１に係る電子機器システム１０ａを表すブロック図である。この変形例１では，電子機器システム１０のＡＣアダプタ１３０がＡＣアダプタ制御部１３０ａとＡＣアダプタ本体１４３ａに区分されている。ＡＣアダプタ本体１４３ａは，電子機器システム１０のＡＣ−ＤＣ変換部１４３に対応し，ＡＣ電圧をＤＣ電圧に変換する。これ以外の点では，電子機器システム１０ａは電子機器システム１０と実質的に相違しないので，詳細な説明を省略する。
【００２８】
図４は，本発明の変形例２に係る電子機器システム１０ｂを表すブロック図である。この変形例２では，電子機器システム１０の電子機器１１０が電子機器本体１１０ｂと充電器１５０ｂに区分されている。充電器１５０ｂは，電池１１５を充電するための装置であり，供給検出部１１８が配置される。これ以外の点では，電子機器システム１０ｂは電子機器システム１０と実質的に相違しないので，詳細な説明を省略する。
【００２９】
（電子機器システム１０の動作）
以下，電子機器システム１０の動作につき説明する。図５は，電子機器システム１０の動作手順の一例を表すフロー図である。なお，電子機器システム１０ａ，１０ｂの動作手順も図５で表すことができる。
【００３０】
ここでは，電子機器１１０とＡＣアダプタ１３０が接続され（ＤＣジャック１１７とＤＣプラグ１４４が接続），ＡＣプラグ１４１が電源コンセントに接続されていることを想定する。
【００３１】
（１）電池１１５の残量Ｑｒの検出（ステップＳ１１）
残量検出部１１６によって電池１１５の残量Ｑｒが検出される。既述のように，電池１１５の電圧等に基づき，その残量Ｑｒが検出され，例えば，「％」で表される。
【００３２】
（２）制御信号の生成・送信（ステップＳ１２〜Ｓ１５）
検出された残量Ｑｒに応じて，制御部１１２によって制御信号が生成される。即ち，残量Ｑｒが基準値Ｔｈ１（第１の所定量）以上のときに，制御部１１２によってＯＦＦ信号が生成され，送信部１１３から送信される。また，残量Ｑｒが基準値Ｔｈ２（第２の所定量）以下のときに，制御部１１２によってＯＮ信号が生成され，送信部１１３から送信される。後述のようにこのＯＮ信号，ＯＦＦ信号によって，スイッチ１４２がＯＮ／ＯＦＦされ，ＡＣアダプタ１３０でのＡＣ−ＤＣ変換が開始，停止される。
【００３３】
なお，ここで送信部１１３と制御部１１２を，ＣＰＵ搭載のＬＳＩで実現した場合には，機器本体を制御するためのＯｐｅｒａｔｉｎｇ  Ｓｙｓｔｅｍ（ＯＳ）を起動することなく，送信部１１３からＯＮ／ＯＦＦ信号を送信することが可能となる。具体的に，電子機器１１０としてノートパソコンを想定し，送信部１１３と制御部１１２を，例えば，ＣＰＵを搭載した無線ＬＡＮ用ＬＳＩを使用して実現することを考える。この場合，残量検出部１１６から，該無線ＬＡＮ用ＬＳＩに制御信号を送信することにより，Windows（登録商標）などのＯＳを機動せずに，送信部１１３からＯＮ／ＯＦＦ信号を送信することが可能となる。
【００３４】
この基準値Ｔｈ１，Ｔｈ２としてそれぞれ，例えば，８０，９０％，２０〜４０％程度の値を採用できる。なお，残量Ｑｒが基準値Ｔｈ１，Ｔｈ２の間の場合，制御信号は生成されない。即ち，このときは，スイッチ１４２のＯＮ／ＯＦＦの状態はそのまま維持される。
【００３５】
この制御信号の生成，送信は，ＡＣアダプタ１３０からの電力の供給が停止または開始されるまで，繰り返される（ステップＳ１６，Ｓ１７）。例えば，所定の時間間隔Ｔ１で制御信号を繰り返し送信することができる。
なお，制御信号を送信する回数を規定することも可能である。この回数として，例えば，１〜１０程度の値を採用することができる。この場合，後述のＤＣ電圧の供給の有無の検出，およびこの検出に対応する送信の停止は不要となる。
【００３６】
（３）ＤＣ電圧の供給の停止または開始（ステップＳ１６，Ｓ１７）
送信部１１３から送信された制御信号がアンテナ１３１で受信され，整流器１３２で整流される。制御信号がＯＦＦ信号，ＯＮ信号と一致するか否かが信号判別部１３３で判断される。この判断結果に応じて，制御部１３４によってスイッチ１４２がＯＦＦ，ＯＮされる。この結果，ＡＣアダプタ１３０から電子機器１１０への電力の供給が停止または開始される（ステップＳ１６，Ｓ１７）。
【００３７】
（４）制御信号の生成・送信の停止（ステップＳ１６，Ｓ１７）
供給検出部１１８によって，ＤＣジャック１１７への電力の供給の有無が検出される（ステップＳ１６，Ｓ１７）。電力の供給の有無と送信された制御信号（ＯＦＦ信号，ＯＮ信号）とが対応するとき（電力の供給の停止，開始），制御信号の生成，送信が停止される。
【００３８】
（変形動作例）
図６，図７はそれぞれ，電子機器システム１０の動作手順の変形例を表すフロー図である。なお，電子機器システム１０ａ，１０ｂの動作手順も図６，図７で表すことができる。図５では，ＯＮ信号，ＯＦＦ信号の送受信に基づき，スイッチ１４２をＯＮ／ＯＦＦしている。これに対して，図６，図７では，信号が連続して送受信されるか否かに基づき，スイッチ１４２をＯＮ／ＯＦＦしている。以下，基本的には，図６に基づいて，電子機器システム１０の動作手順を説明する。
【００３９】
（１）電池１１５の残量Ｑｒの検出（ステップＳ２１）
残量検出部１１６によって電池１１５の残量Ｑｒが検出される。既述のように，電池１１５の電圧等に基づき，その残量Ｑｒが検出され，例えば，「％」で表される。
【００４０】
（２）制御信号の生成・送信（ステップＳ２２〜Ｓ２４）
検出された残量Ｑｒに応じて，制御部１１２によって制御信号が生成される。
【００４１】
即ち，残量Ｑｒが基準値Ｔｈ（所定量）以上のときに，ＯＦＦ信号が生成され，送信部１１３から連続して送信される。例えば，送信部１１３がＯＦＦ信号を所定の時間間隔Ｔ１で繰り返し送信する。また，残量Ｑｒが基準値Ｔｈ（所定量）より小さいときに，ＯＦＦ信号の送信が停止される。なお，この時間間隔Ｔ１は（後述の時間間隔Ｔ２も），例えば，０．１秒〜２，３分程度の値を採用できる。
【００４２】
一方，図７の例では，残量Ｑｒが基準値Ｔｈ（所定量）以下のときに，ＯＮ信号が生成され，送信部１１３から連続して送信される（ステップＳ３２〜Ｓ３４）。例えば，送信部１１３がＯＮ信号を所定の時間間隔Ｔ１で繰り返し送信する。また，残量Ｑｒが基準値Ｔｈ（所定量）より大きいときに，ＯＮ信号の送信が停止される。
【００４３】
（３）ＤＣ電圧の供給の停止または開始（ステップＳ２５，Ｓ２６）
制御信号が連続して送受信されるか否かに応じて，制御部１３４によってスイッチ１４２がＯＦＦ，ＯＮされる。この結果，ＡＣアダプタ１３０から電子機器１１０への電力の供給が停止または開始される。制御信号が連続して送受信されるか否かは，制御信号が所定の時間間隔Ｔ２（Ｔ２＞Ｔ１）で連続して受信されるか否かで判断できる。即ち，制御信号を受信してから，時間Ｔ２内に次の制御信号を受信するときに，制御信号が連続して受信（送信）されると判断される。また，制御信号を受信してから，時間Ｔ２経過しても次の制御信号を受信しないときに，制御信号の連続した受信（送信）が停止されたと判断される。
【００４４】
即ち，ＯＦＦ信号が連続して送受信されているとき，スイッチ１４２がＯＦＦされ，ＤＣ信号の供給が停止される（ステップＳ２５）。また，ＯＦＦ信号の送受信が停止されているとき，スイッチ１４２がＯＮされ，ＤＣ信号の供給が再開される（ステップＳ２６）。
【００４５】
一方，図７の例では，ＯＮ信号が連続して送受信されているとき，スイッチ１４２がＯＮされ，ＤＣ信号の供給が開始される（ステップＳ３５）。また，ＯＮ信号の送受信が停止されているとき，スイッチ１４２がＯＦＦされ，ＤＣ信号の供給が停止される（ステップＳ３６）。
【００４６】
以上のように，無線信号により，ＡＣ−ＤＣ変換部１４３の交流電源側に設けられたスイッチ１４２がＯＮ／ＯＦＦされる。この結果，電子機器１１０とＡＣアダプタ１３０の距離が離れている場合でも，ユーザの手を煩わせることなく，電子機器１１０の待機電力の低減が可能となる。電子機器１０が搭載する電池１１５が所定レベル（基準値Ｔｈ１）以上充電されている場合に，スイッチ１４２を自動的にＯＦＦすることで，待機電力の低減が可能となる。また，スイッチ１４２を自動的にＯＦＦすることで，電池１１５に電力が過剰に充電されることを防止することができる。すなわち，電子機器システム１０に過充電防止機能（過充電防止装置）を付与することができる。
【００４７】
また，電子機器１０が搭載する電池１１５が所定レベル（基準値Ｔｈ２）以下になった場合に自動的に充電を開始するため，電池１１５の残量がゼロになることを防止することが可能となる。従って，ユーザが電子機器１１０を操作中または操作開始時に電池１１５の残量がゼロになってしまい，操作が続行できなくなるという不具合を防ぐことが可能となる。
【００４８】
なお，例えば，電子機器１１０に電池１１５への過充電防止装置が設けられる場合は，過充電防止装置が電池１１５への充電を停止したことを検出する検出部（図示せず）を設けてもよい。検出部が，電池１１５への充電を停止したことを検出した場合に，スイッチ１４２を自動的にＯＦＦするように送信部１１３が制御パケットを送信する。
【００４９】
さらに，送信部１１３に無線ＬＡＮ用ＬＳＩなど，電子機器１１０に従来から搭載されている送信部を利用できる。このようにすることで，電子機器１１０に新たな送信部を搭載せずに安価にシステムを構築することが可能となる。たとえば，ノートパソコンの場合には無線ＬＡＮ用ＬＳＩの内蔵率はかなり高い。このため，この無線ＬＡＮ用ＬＳＩを送信部１１３として利用することにより，安価な構成で，以上のような効果を得ることが可能となる。
【００５０】
（実施例）
次に，実施例にかかる電子機器２０のハードウェア構成について図８を用いて説明する。
電子機器２０は，電子機器１１０に対応し，ＣＰＵ２１などの制御装置と，ＲＯＭ２２やＲＡＭ２３などの記憶装置と，ネットワーク（Ｎｅｔｗｏｒｋ）部２４と，モデム（Ｍｏｄｅｍ）部２５と，バッテリ２６と，バッテリの残量やバッテリへの電源供給を検出する検出部２７とを備える。各部がシステムバス２８を介して相互に接続される。
【００５１】
電子機器２０は，ＨＤＤ，ＣＤ（ＣｏｍｐａｃｔＤｉｓｃ）ドライブ装置などの外部記憶装置と，ディスプレイ装置などの表示装置と，キーボードやマウスなどの入力装置と，各部を接続するバスを備えた，通常のコンピュータを利用したハードウェア構成としてもよい。
【００５２】
電子機器２０が，ネットワーク部２４によってＬＡＮに接続し，ＬＡＮを介して外部装置から受信するデータの受信処理やＬＡＮを介して外部装置へデータを送信する送信処理を行う。
電子機器２０が，モデム部２５によって公衆回線に接続し，公衆回線を介して外部装置から受信するファクシミリデータの受信処理や公衆回線を介して外部装置へデータを送信する送信処理を行う。またＡＣアダプタに対して制御パケットを送信する。
【００５３】
ＣＰＵ２１，ＲＯＭ２２，ＲＡＭ２３等が図１の制御部１１２，機器本体１１１に相当する。なお，第２のＣＰＵなどの制御装置を設けることで，制御部１１２と機器本体１１１を別々の構成としてもよい。
【００５４】
モデム部２５が，図１の送信部１１３，アンテナ１１４に相当する。
またバッテリ２６がバッテリ１１５，検出部２７が残量検出部１１６，供給検出部１１８に相当する。なお，残量検出部１１６と供給検出部１１８を別々に備える構成としてもよい。
【００５５】
電子機器２０で実行されるＡＣアダプタ１３０の制御プログラムは，インストール可能な形式又は実行可能な形式のファイルでＣＤ−ＲＯＭ（ＣｏｍｐａｃｔＤｉｓｋＲｅａｄＯｎｌｙＭｅｍｏｒｙ），フレキシブルディスク（ＦＤ），ＣＤ−Ｒ（ＣｏｍｐａｃｔＤｉｓｋＲｅｃｏｒｄａｂｌｅ），ＤＶＤ（ＤｉｇｉｔａｌＶｅｒｓａｔｉｌｅＤｉｓｋ）等のコンピュータで読み取り可能な記録媒体に記録されて提供される。
【００５６】
電子機器２０で実行されるＡＣアダプタ１３０の制御プログラムを，インターネット等のネットワークに接続されたコンピュータ上に格納し，ネットワーク部またはモデム部経由でダウンロードさせることにより提供してもよい。また，電子機器２０で実行されるＡＣアダプタ１３０の制御プログラムをインターネット等のネットワーク経由で提供または配布してもよい。
また，ＡＣアダプタ１３０の制御プログラムを，ＲＯＭ等に予め組み込んで提供するように構成してもよい。
【００５７】
電子機器２０で実行されるＡＣアダプタ１３０の制御プログラムは，上述した制御部を含むモジュール構成となっており，実際のハードウェアとしてはＣＰＵ（プロセッサ）２１が上記記憶媒体からＡＣアダプタ１３０の制御プログラムを読み出して実行する。この結果，制御部が主記憶装置上にロードされ，上述した制御部が主記憶装置上に生成されるようになっている。
【００５８】
ＡＣアダプタ１３０の制御プログラムは，例えば，図５のフローチャートを実現させるものであって，例えば電子機器２０がＯＮ状態（各部にバッテリ２６から電源が供給されている）の場合，一定期間ごとに主記憶装置上にロードされ実行される。すなわち，一定期間ごとにバッテリ２６の残量を検知し，残量が一定値以上または一定値以下の場合に，ＡＣアダプタ１３０に制御パケットを送信する。
【００５９】
一方，電子機器２０がＯＦＦ状態（各部にバッテリ２６から電源が供給されていない）の場合，電子機器２０は，タイマを有する電源制御部をさらに備えた構成とし，タイマによって一定期間を計測し，該一定期間ごとに，この電源制御部がＡＣアダプタ制御プログラムを実行する。この際，電源制御部は電子機器をＯＦＦ状態のままにする。
【００６０】
ここで，電子機器２０自体をＯＮ状態とする必要はなく，ＡＣアダプタ１３０の制御プログラムを実行するために必要な各部に電源を供給すればよい。例えば，ディスプレイ等には電源を供給しない。これにより，電子機器２０自体をＯＮ状態とする場合に比べ，省電力とすることができる。
【００６１】
また，一度ＯＦＦ信号を送信した後に，バッテリ２６の残量がＯＮ信号を送信する閾値以下になる時間を予測し，電源制御部のタイマに予測した時間をセットしてもよい。例えば，バッテリの自己放電率とＯＦＦ信号を送信したときのバッテリ残量から予測が可能である。これにより，ＡＣアダプタ１３０の制御プログラムを実行するために電子機器２０がＯＦＦ状態からＯＮ状態に遷移する回数を減らすことができる。
【００６２】
ＡＣアダプタ１３０の制御プログラムは，電子機器２０がＯＦＦ状態からＯＮ状態に遷移するときに必ず実行するようにしてもよい。これにより，電子機器２０がＯＮ状態になってから一定期間経過前にバッテリの残量がゼロとなる可能性を減らすことができる。
【００６３】
（その他の実施形態）
本発明の実施形態は上記の実施形態に限られず拡張，変更可能であり，拡張，変更した実施形態も本発明の技術的範囲に含まれる。
【００６４】
上記の実施形態では，一対の機器１１０，ＡＣアダプタ１３０間で制御信号（ＯＮ信号，ＯＦＦ信号）を送受信している。この場合，例えば，機器１１０，ＡＣアダプタ１３０に識別子を付与し，制御信号の送信時にこの識別子を併せて送信し，送信元（機器１１０），受信先（ＡＣアダプタ１３０）を識別することができる。このようにすることで，複数組の機器１１０，ＡＣアダプタ１３０が存在する場合でも，誤作動の防止を図ることができる。
【００６５】
これに対して，複数組の機器１１０，ＡＣアダプタ１３０が存在する場合でも，共通する制御信号を用いて（例えば，識別子を用いない，あるいは無視する），ＡＣアダプタ１３０を制御することもできる。例えば，複数組の機器１１０，ＡＣアダプタ１３０それぞれの距離が十分大きければ，このようにして，簡略化した制御が可能となる。
【００６６】
上記の実施形態では，送信部１１３は無線ＬＡＮの規格に対応する電波を用いて，制御信号を送信している。これに対して，他の規格（例えば，Bluetooth）の電波を用いることも可能である。また，赤外線を用いて，制御信号を送信しても良い。さらには，無線でなく，有線で制御信号を送受信することが可能である。
【符号の説明】
【００６７】
１０…電子機器システム，１１０…電子機器，１１１…機器本体，１１２…制御部，１１３…送信部，１１４…アンテナ，１１５…電池，１１６…残量検出部，１１７…ＤＣジャック，１１８…供給検出部，１３０…ＡＣアダプタ，１３１…アンテナ，１３２…整流器，１３３…信号判別部，１３４…制御部，１３５…電池，１４１…ＡＣプラグ，１４２…スイッチ，１４３…ＡＣ−ＤＣ変換部，１４４…ＤＣプラグ
【図１】
2010220347.tif 000003
【図２】
2010220347.tif 000004
【図３】
2010220347.tif 000005
【図４】
2010220347.tif 000006
【図５】
2010220347.tif 000007
【図６】
2010220347.tif 000008
【図７】
2010220347.tif 000009
【図８】
2010220347.tif 000010